(57)【要約】【課題】設備ＤＢの更新に対する監視制御機能の停止や状態合わせを電力系統設備が所属する管轄に限定することで、管轄以外の電力系統設備に関する設備ＤＢメンテナンスの影響範囲を極小化できる電力系統監視制御装置を提供することである。【解決手段】監視制御サーバ１２ａ〜１２ｎの系統監視制御手段２３ａ〜２３ｎは、メンテナンスサーバ１１の設備ＤＢ更新通知手段２１から設備ＤＢ２５の更新を行った旨の通知があると、運用中の設備ＤＢ２４から更新後の設備ＤＢ２５へと参照先を切替えると共に自管轄の電力系統設備に対する系統監視を行う。また、更新対象の電力系統設備を扱うＴＣ装置子局３２に対してのみ監視制御中止を行い、更新後の設備ＤＢ２５の再読込みに伴う電力系統設備毎の機器状態と実際の電力系統設備の現在状態との状態合せを行う。【選択図】  図１
2010172106.tif 000002
【特許請求の範囲】
【請求項１】
電力系統設備の設備情報を格納した設備ＤＢを有し前記電力系統設備の監視制御を行う複数の監視制御サーバと、複数のＴＣ装置子局及びＴＣ装置親局を有し前記電力系統設備の設備状態や計測情報を前記監視制御サーバ側に伝送したり前記監視制御サーバからの前記電力系統設備への制御情報を伝送したりする複数の系統エリアと、前記設備ＤＢのメンテナンスを行うメンテナンスサーバと、
前記メンテナンスサーバ、複数の監視制御サーバ及び複数の系統エリアを接続する広域情報伝送ネットワークとを備えた電力系統監視制御装置において、前記メンテナンスサーバは、前記設備ＤＢの更新を行うと共に更新対象となった個々の電力系統設備を特定する情報と更新作業内容を保存した更新設備情報とを作成する設備ＤＢ更新手段と、前記更新後の設備ＤＢ及び前記更新設備情報を各監視制御サーバが利用可能なよう配信する設備ＤＢ配信手段と、前記設備ＤＢの更新を行った電力系統設備を管轄する前記監視制御サーバに対して前記設備ＤＢの更新を通知する設備ＤＢ更新通知手段とを備え、前記監視制御サーバは、運用中の設備ＤＢから更新後の設備ＤＢへと参照先を切替えると共に自管轄の電力系統設備に対する系統監視を行う系統監視制御手段を有し、前記系統監視制御手段は、更新対象の電力系統設備を扱うＴＣ装置子局に対してのみ監視制御中止を行い更新後の設備ＤＢの再読込みに伴う電力系統設備毎の機器状態と実際の電力系統設備の現在状態との状態合せを行うことを特徴とする電力系統監視制御装置。
【請求項２】
前記系統監視制御手段は、前記状態合せを更新対象の電力系統設備が対応するＴＣ装置子局のみに限定して行うことを特徴とする請求項１記載の電力系統監視制御装置。
【発明の詳細な説明】
【技術分野】
【０００１】
本発明は、電力系統の設備データベース（設備ＤＢ）と遠方監視制御装置（ＴＣ装置）を介して入手した電力系統設備の状態データとを基に電力系統設備の監視制御を行う電力系統監視制御装置に関する。
【背景技術】
【０００２】
一般に、電力系統監視制御装置では、電力系統の設備ＤＢを有し電力系統の監視制御を行う監視制御サーバと、監視制御サーバが有する設備ＤＢのメンテナンスを行うメンテナンスサーバとを備えている。監視制御サーバには、複数の設備データベース格納エリアを用意し、メンテナンスサーバは、電力系統設備の変更が行われた場合に現在使用している設備データベース格納エリアとは別の格納エリアに更新後の設備データベースを配信するようにしている。そして、監視制御サーバを一旦停止し、更新後の設備データベースを参照可能とする格納エリアの切替を行った後に監視制御サーバを起動する。これにより、監視制御サーバは更新後の設備データベースを読み込み監視制御機能を再開させる。
【０００３】
このため一部の電力系統設備に関する設備ＤＢの更新にも係わらず全系に対する監視制御機能が一時的に損なわれる。さらには監視制御サーバを一旦終了させるため、監視制御サーバの再開後には監視制御機能停止中に状態変化した電力系統設備との状態合わせや、電力系統設備への操作制御の中止といった処理が必要となり、一部の電力系統設備に関する設備ＤＢの更新にも係わらず監視制御サーバでは全系に対する監視制御機能が一時的に損なわれ、ＴＣ装置についても親局単位で一時的な業務中断が発生する。
【０００４】
図６は、従来の電力系統監視制御装置の構成図であり、電力系統設備の変更に伴う設備データベースの更新に関連した機能を示している。電力系統監視制御装置は、メンテナンスサーバ１１、複数の監視制御サーバ１２ａ〜１２ｎ、複数の系統エリア１３ａ〜１３ｎが広域情報伝送ネットワーク１４に接続されて構成されている。メンテナンスサーバ１１では設備ＤＢ１５を設備ＤＢ更新手段１６にて更新する。設備ＤＢ更新手段１６にて設備ＤＢ１５を更新した後に、設備ＤＢ配信手段１７は、監視制御サーバ１２ａ〜１２ｎに設備ＤＢデータ１８として、系統エリア１３ａ〜１３ｎのＴＣ装置親局１９に伝送設備ＤＢデータ２０として配信を行う。設備ＤＢ更新通知手段２１は監視制御サーバ１２ａ〜１２ｎに設備ＤＢ１５が更新されたことを通知する。
【０００５】
監視制御サーバ１２ａ〜１２ｎでは、設備ＤＢデータ１８の配信を受けた後、エリア切替手段２２が設備ＤＢ更新通知手段２１より更新後の設備ＤＢデータ１８への切替え要求を受ける。エリア切替手段２２は、更新後の設備ＤＢデータ１８への切替え要求を受けると、監視制御手段２３ａ〜２３ｍにおける各実行プログラムに対してプログラムの中断を通知し、対象の全ての実行プログラムが一旦終了し中断した状態へと遷移したことを条件に、現用の設備ＤＢ格納エリア２４から更新後の設備ＤＢデータ１８が格納されている将来の設備ＤＢ格納エリア２５へと参照先エリアの切替えを行い、上述の中断状態にある各実行プログラムに対して実行再開の要求を行う。
【０００６】
この際、監視制御手段２３ａ〜２３ｍの各実行プログラムのうち電力系統設備に対する機器選択や操作または制御はプログラムの中断要求に対して一旦終了することから、選択状態の解除、操作及び制御の中止を行う。なお、監視制御情報記憶部２６にはＴＣ装置親局１９から受信した電力系統状態２７が監視制御情報として記憶されている。さらに、その後再開要求を受けた監視制御手段２３ａ〜２３ｍは、プログラム停止中に状態が変化した電力系統設備との状態合わせを行うため、ＴＣ装置親局１９に対して状態合せ要求２８を行う。
【０００７】
ＴＣ装置親局１９ではメンテナンスサーバ１１の設備ＤＢ配信手段１７より伝送設備ＤＢデータ２０を受信すると、将来の設備ＤＢ２９に伝送設備ＤＢデータ２０を格納する。そして、ＴＣ手段３０の再起動を行い、現用の設備ＤＢ３１から将来の設備ＤＢ２９に切り替え、ＴＣ装置親局１９に配信された更新後の伝送設備ＤＢデータ２０を参照して動作する。また、監視制御サーバ１２の監視制御手段２３から状態合せ要求２８を受信すると、ＴＣ装置親局１９は、ＴＣ装置親局１９に接続されるＴＣ装置子局３２ａ〜３２ｋが受け持つＴＣ装置子局３２ａ〜３２ｋが受け持つ電力系統設備３３ａ〜３３ｋに関する機器状態を示す電力系統状態２７を監視制御サーバ２３に送信する。これは、監視制御サーバ２３で、更新後の設備ＤＢ１５と監視制御情報記憶部２６との整合をとるためである。
【０００８】
ここで、データベースの修正変更を行う際に、分散型計算機システムの運用停止時間を短縮するものとして、分散型計算機システムの現在稼働中のデータベース及びデータベース管理用のワークデータベースをワークステーションから取り込み、分散型計算機システムのデータベースのメンテナンスや確認試験を行い、ＤＢ試験処理部で処理されたデータベースのメンテナンス及び確認試験の処理結果を出力装置に出力するようにしたものがある（例えば、特許文献１参照）。
【先行技術文献】
【特許文献】
【０００９】
【特許文献１】特開平１０−１９８５９２号公報
【発明の概要】
【発明が解決しようとする課題】
【００１０】
しかし、従来の電力系統監視制御装置では、一部の電力系統設備に関する設備ＤＢの更新でも電力系統設備の監視制御機能を一旦終了させ、更新後の設備ＤＢが参照可能とする切替を行った後に、更新後の設備ＤＢを読み込み監視制御機能を再開することを行っているため、設備ＤＢの更新時には全系の電力系統設備への監視制御機能が一時的に損なわれるという問題があった。また、設備ＤＢの更新に伴い設備ＤＢと系統状態保存データとの整合性保持を全系統設備に対して行っており、設備ＤＢ更新時の処理に時間を要する問題があった。
【００１１】
本発明の目的は、設備ＤＢの更新に対する監視制御機能の停止や状態合わせを電力系統設備が所属する管轄に限定することで、管轄以外の電力系統設備に関する設備ＤＢメンテナンスの影響範囲を極小化できる電力系統監視制御装置を提供することである。
【課題を解決するための手段】
【００１２】
本発明の請求項１に係る電力系統監視制御装置は、電力系統設備の設備情報を格納した設備ＤＢを有し前記電力系統設備の監視制御を行う複数の監視制御サーバと、複数のＴＣ装置子局及びＴＣ装置親局を有し前記電力系統設備の設備状態や計測情報を前記監視制御サーバ側に伝送したり前記監視制御サーバからの前記電力系統設備への制御情報を伝送したりする複数の系統エリアと、前記設備ＤＢのメンテナンスを行うメンテナンスサーバと、前記メンテナンスサーバ、複数の監視制御サーバ及び複数の系統エリアを接続する広域情報伝送ネットワークとを備えた電力系統監視制御装置において、前記メンテナンスサーバは、前記設備ＤＢの更新を行うと共に更新対象となった個々の電力系統設備を特定する情報と更新作業内容を保存した更新設備情報とを作成する設備ＤＢ更新手段と、前記更新後の設備ＤＢ及び前記更新設備情報を各監視制御サーバが利用可能なよう配信する設備ＤＢ配信手段と、前記設備ＤＢの更新を行った電力系統設備を管轄する前記監視制御サーバに対して前記設備ＤＢの更新を通知する設備ＤＢ更新通知手段とを備え、前記監視制御サーバは、運用中の設備ＤＢから更新後の設備ＤＢへと参照先を切替えると共に自管轄の電力系統設備に対する系統監視を行う系統監視制御手段を有し、前記系統監視制御手段は、更新対象の電力系統設備を扱うＴＣ装置子局に対してのみ監視制御中止を行い更新後の設備ＤＢの再読込みに伴う電力系統設備毎の機器状態と実際の電力系統設備の現在状態との状態合せを行うことを特徴とする。
【００１３】
本発明の請求項２に係る電力系統監視制御装置は、請求項１の発明において、前記系統監視制御手段は、前記状態合せを更新対象の電力系統設備が対応するＴＣ装置子局のみに限定して行うことを特徴とする。
【発明の効果】
【００１４】
以上説明したように本発明によれば、設備ＤＢの更新に伴う電力系統監視制御機能における中断や、状態合わせを更新対象となった設備を監視制御対象として扱っている一部の監視制御サーバやＴＣ装置子局に限定することで、一部の系統設備に関する設備ＤＢ更新に対して電力系統監視制御装置の全体への業務中断の影響を極小化することができる。
【図面の簡単な説明】
【００１５】
【図１】本発明の第１の実施の形態に係わる電力系統監視制御装置の構成図。
【図２】本発明の第１の実施の形態の電力系統設備毎の管轄情報データの一例の構成図。
【図３】本発明の第１の実施の形態の設備ＤＢ切替要求を受信した際の監視制御手段の処理内容を示すフローチャート。
【図４】本発明の第１の実施の形態における設備ＤＢ内の電力系統設備とＴＣ装置子局との関係付け情報データの一例を示す構成図。
【図５】本発明の第２の実施の形態に係わる電力系統監視制御装置の構成図。
【図６】従来の電力系統監視制御装置の構成図。
【発明を実施するための形態】
【００１６】
図１は、本発明の第１の実施の形態に係わる電力系統監視制御装置の構成図である。この第１の実施の形態における電力系統監視制御装置は、メンテナンスサーバ１１、複数の監視制御サーバ１２ａ〜１２ｎ、複数の系統エリア１３ａ〜１３ｎが広域情報伝送ネットワーク１４に接続されて構成されている。
【００１７】
監視制御サーバ１２ａ〜１２ｎは電力系統設備３３の監視制御を行うものであり、系統エリア１３は、複数のＴＣ装置子局３２及びＴＣ親局１９から構成され、電力系統設備３３の設備状態や計測情報を監視制御サーバ１２ａ〜１２ｎ側に伝送したり、監視制御サーバ１２ａ〜１２ｎからの電力系統設備３３への制御情報を伝送したりするものである。メンテナンスサーバ１１は設備ＤＢ１５のメンテナンスを行うものである。全ての監視制御サーバ１２ａ〜１２ｎにより全ての電力系統設備３３ａ〜３３ｋを対象に監視制御を行うが、各監視制御サーバ１２ａ〜１２ｎでは個々の電力系統設備３３ａ〜３３ｋがもつ管轄情報により、各監視制御サーバ１２ａ〜１２ｎが管轄する電力系統設備３３ａ〜３３ｋのみを監視制御の対象とし、監視制御サーバ１２ａ〜１２ｎ間での処理の分担を行う。
【００１８】
第１の実施の形態は、電力系統設備のうち一部の電力系統設備３３ａ〜３３ｋに変更が生じた際には、メンテナンスサーバ１１の設備ＤＢ更新手段１６を用いてメンテナンスサーバ１１の設備ＤＢ１５の更新を行う。設備ＤＢ更新手段１６はメンテナンスサーバ１１の設備ＤＢ１５への更新が完了した後に設備ＤＢ配信手段１７に対して監視制御サーバ１２ａ〜１２ｎへの配信を要求する。
【００１９】
配信要求を受けた設備ＤＢ配信手段１７は、メンテナンスサーバ１１内の更新後の設備ＤＢデータ１８を監視制御サーバ１２ａ〜１２ｎにおける将来用の設備ＤＢエリア２５に配信する。それと共に、メンテナンスサーバ１１内の更新後の設備ＤＢ１５を参照し、当該更新において変更された電力系統設備を特定し、かつ更新の内容が設備の新設か、削除か、属性情報の変更かを示す設備更新情報データ３４を作成する。そして、その設備更新情報データ３４を監視制御サーバ１２に配信し、設備ＤＢ更新通知手段２１に対して配信完了を通知する。
【００２０】
設備ＤＢ更新通知手段２１は、監視制御サーバ１２のエリア切替通知手段２２へ監視制御サーバ１２の将来用の設備ＤＢエリア２５に更新後の設備ＤＢデータ１８を配信したことを通知する。
【００２１】
エリア切替手段２２は将来用設備ＤＢエリア２５に格納している情報が更新されたことを受けると、監視制御サーバ１２にて電力系統設備に関する監視制御を行う監視制御手段２３ａ〜２３ｍへ現用の設備ＤＢエリア２４に格納されている情報から将来用の設備ＤＢエリア２５に格納されている更新後の設備ＤＢデータ１８へと参照する情報を切替えることを要求する。
【００２２】
この要求を受けた監視制御手段２３ａ〜２３ｍは、設備ＤＢを参照するエリアを現用の設備ＤＢエリア２４から将来用の設備ＤＢエリア２５へと変更すると共に、設備更新情報データ３４を参照して、更新された設備が当該監視制御サーバ１２が管轄する設備であるかの判定を行う。そして、管轄対象であった場合には該当設備に関するＴＣ装置子局３２ａ〜３２ｋを特定して、このＴＣ装置子局３２ａ〜３２ｋが扱う電力系統設備３３ａ〜３３ｋに対する制御を実行中の場合に当該業務の中断を行う。
【００２３】
また、監視制御手段２３ａ〜２３ｍは、このＴＣ装置子局３２ａ〜３２ｋが受け持つ電力系統設備３３ａ〜３３ｋに関する機器状態に関して更新後の設備ＤＢと監視制御情報記憶部２６との整合をとるためにＴＣ装置親局１９に電力系統設備３３ａ〜３３ｋに関する系統状態合せの要求を行う。
【００２４】
系統状態合せの要求を受けたＴＣ親局１９はＴＣ装置子局３２ａ〜３２ｋが受け持つ全ての電力系統設備３３ａ〜３３ｋの状態合せ要求２８を送信する。ＴＣ親局１９は、ＴＣ装置子局３２ａ〜３２ｋから電力系統設備３３ａ〜３３ｋの状態を取得し、全ての監視制御サーバ１２ａ〜１２ｎ向けに電力系統状態２７の送信を行う。広域情報伝送ネットワーク１４に送信された電力系統状態２７を各監視制御サーバ１２ａ〜１２ｎにおける監視制御手段２３ａ〜２３ｍが受信し、更新後の設備ＤＢを参照して監視制御情報記憶部２６の内容を更新する。
【００２５】
図２は、第１の実施の形態における電力系統設備３３ａ〜３３毎に持つ管轄情報データの一例の構成図である。個々の電力系統設備３３ａ〜３３ｎに対しては複数の監視制御サーバ１２ａ〜１２ｎが管轄を有することができる。
【００２６】
図３は、第１の実施の形態における監視制御手段２３ａ〜２３ｍが設備ＤＢの格納エリアの参照先を切替る要求を受けた際のフローチャートである。
【００２７】
監視制御手段２３ａ〜２３ｍは、通知を受け取る(Ｓ１１)と、参照先の設備ＤＢエリアを現用の設備ＤＢエリア２４から将来設備ＤＢエリア２５へと切り替える(Ｓ１２)。続いて設備更新情報データ３４を参照し、更新設備を特定する情報と、更新内容の取得を行い(Ｓ１３)、取得したデータ内に管轄対象の設備が存在しているかの判定を行う(Ｓ１４)。判定結果にて対象設備が存在した場合には、自管轄でかつ更新対象設備に関するＴＣ装置子局の特定を行い(Ｓ１５)、特定したＴＣ装置子局３２ａ〜３２ｋに対する制御を実行中かどうかを判定する（Ｓ１６）。実行中であるときは制御の中止を行い（Ｓ１７）、当該ＴＣ装置子局３２ａ〜３２ｋが扱う電力系統設備３３ａ〜３３ｋに関する状態合わせ要求を行う（Ｓ１８）。また、ステップＳ１６の判定で実行中でないときは、ステップＳ１８に移行する。
【００２８】
図４は、設備ＤＢ内に持っている情報のうち個々の電力系統設備とＴＣ装置子局との関係付け情報データの一例を示す構成図である。各設備が所属する電気所がＴＣ装置子局と対応付けられている。
【００２９】
以上述べたように、第１の実施の形態に係わる電力系統監視制御装置によれば、広域にわたる電力系統設備に関する監視制御を行うことに関して、一部の電力系統設備に変更が生じた場合に、複数の監視制御サーバ１２が管轄により監視制御対象とする電力系統設備の分担を行うことと、設備ＤＢの更新において更新対象の設備を特定することにより、更新後の設備ＤＢとの整合をとる上での制御の中断や、電力系統設備の状態合わせがＴＣ装置子局単位に限定されるため、更新には無関係の電力系統設備を管轄している監視制御手段は業務を継続することができる。
【００３０】
（第２の実施の形態）（請求項２対応）
図５は本発明の第２の実施の形態に係わる電力系統監視制御装置の構成図である。この第２の実施の形態による電力系統監視制御装置は、第１の実施の形態による電力系統監視制御装置に対して、新たに１つの変更と１つの機能を付加したものである。
【００３１】
すなわち、ＴＣ装置親局１９において系統エリア内全ての伝送装置の定義情報を一元に格納していた現用の設備ＤＢ３１及び将来の設備ＤＢ２９を新たにＴＣ装置子局単位に分割するようにし、分割された設備ＤＢ２９ａ〜２９ｊ及び設備ＤＢ３１ａ〜３１ｊ毎にＤＢ切替を行える機能を新たにＴＣ手段に付加したものである。
【００３２】
次に動作を説明する。第１の実施の形態と同様に電力系統監視制御装置の保守員が伝送データ定義の更新を行う。ここでは、ＴＣ装置子局３２ａ〜３２ｊの伝送データ定義を更新するものとする。設備ＤＢ１５の更新が完了すると、設備ＤＢ配信手段１７は更新後の設備ＤＢ１５から伝送設備に関する情報を抽出した伝送設備ＤＢデータ２０を、ＴＣ装置子局３２ａ〜３２ｊの伝送データ定義情報を格納する設備ＤＢ２９ａ〜２９ｊへ配信する。設備ＤＢデータ２０の配信が完了すると、設備ＤＢ配信手段１７はＴＣ手段３０に伝送設備ＤＢ２９ａ〜２９ｊの更新が完了したことを通知する。設備ＤＢ２９ａ〜２９ｊの更新完了通知を受けたＴＣ手段３０は運用中の伝送設備ＤＢ３１ａ〜３１ｊから更新後の設備ＤＢ２９ａ〜２９ｊへ参照先エリアの切替を行う。次いでＴＣ手段３０は参照ＤＢ切替に伴う状態合せ要求２８をＴＣ装置子局３２ａ〜３２ｊに通知し、状態合せが完了すると監視制御サーバ１２ａ〜１２ｎへＴＣ装置子局３２ａ〜３２ｊが監視制御する系統設備の状態情報を送信する。
【００３３】
以上述べたように、第２の実施の形態に係る電力系統監視制御装置では、従来一元管理していた伝送設備ＤＢをＴＣ装置子局単位の伝送設備ＤＢ２９ａ〜２９ｊに分割し、ＴＣ手段３０にＴＣ装置子局単位での伝送設備ＤＢ切替機能を付加することで、伝送データ定義の更新に伴う状態合せ処理を更新対象設備であるＴＣ装置子局単位に限定することができる。
【符号の説明】
【００３４】
１１…メンテナンスサーバ、１２…監視制御サーバ、１３…系統エリア、１４…広域情報伝送ネットワーク、１５…設備ＤＢ、１６…設備ＤＢ更新手段、１７…設備ＤＢ配信手段、１８…設備ＤＢデータ、１９…ＴＣ装置親局、２０…伝送設備ＤＢデータ、２１…設備ＤＢ更新通知手段、２２…エリア切替手段、２３…監視制御手段、２４…設備ＤＢ格納エリア、２５…設備ＤＢ格納エリア、２６…監視制御情報記憶部、２７…電力系統状態、２８…状態合せ要求、２９…設備ＤＢ、３０…ＴＣ手段、３１…設備ＤＢ、３２…ＴＣ装置子局、３３…電力系統設備、３４…設備更新情報データ
【図１】
2010172106.tif 000003
【図２】
2010172106.tif 000004
【図３】
2010172106.tif 000005
【図４】
2010172106.tif 000006
【図５】
2010172106.tif 000007
【図６】
2010172106.tif 000008